(57)【要約】【課題】収容物に関する情報を切替表示可能な表示部材を備え、表示部材の表示態様の不要な切替わりを防止可能な容器を提供する。【解決手段】容器本体２の開口部６を開閉可能な扉部材７は、互いに対向して設けられる内壁部３１及び外壁部３２と、収容物に関する情報を切替表示可能な表示部材４１が装着される表示装着部３５とを備える。表示装着部３５は、内壁部３１側から表示部材４１を着脱可能に構成され、表示部材４１を外壁部３２と平行にスライド可能に保持する係止保持部５１と、係止保持部５１に保持された表示部材４１を外壁部３２側から視認可能とする視認開口部５２とを備える。また、表示装着部３５は、内壁部３１及び外壁部３２と一体的に形成され、表示部材４１は、外壁部３２側の面において、収容物に関する情報を表示する表示部４３を備え、内壁部３１側の面において、当該表示部材４１をスライド変位させる際に操作される操作部４４を備える。【選択図】      図２２
2019137455.tif 000002
【特許請求の範囲】
【請求項１】
物品を収容可能な容器本体と、
前記容器本体の開口部を開閉可能な開閉部材と、
収容物に関する情報を切替表示可能な表示部材と
を備える容器において、
前記容器本体、及び、前記開閉部材のうち少なくとも一方は、
容器の内外方向において互いに所定距離を隔てて対向する内壁部、及び、外壁部を具備する中空パネル部を備えるとともに、
前記中空パネル部において、前記内壁部と前記外壁部との間に設けられ、前記表示部材が装着される表示装着部を備え、
前記表示装着部は、
前記内壁部側から前記表示部材を着脱可能に構成され、前記表示部材を前記内壁部の内側面、及び、前記外壁部の外側面のうち少なくとも一方と平行する方向、又は、それに近い方向にスライド可能に保持する係止保持部と、
前記係止保持部に保持された前記表示部材を前記外壁部側から視認可能とする視認開口部とを備えるとともに、
前記係止保持部、及び、前記視認開口部は、前記内壁部、及び、前記外壁部のうち少なくとも一方と一体的に形成され、
前記表示部材は、
前記外壁部側の面において、収容物に関する情報を表示する表示部を備え、
前記内壁部側の面において、当該表示部材をスライド変位させる際に操作される操作部を備えていることを特徴とする容器。
【請求項２】
前記中空パネル部はブロー成形により形成され、
前記表示装着部は、前記中空パネル部のブロー成形に際して前記内壁部側を構成する部位と、前記外壁部側を構成する部位とが圧着されるとともに、当該圧着部位において前記視認開口部が形成されることにより構成されていることを特徴とする請求項１に記載の容器。
【請求項３】
前記係止保持部は、前記内壁部と、前記外壁部との間において、前記表示装着部に装着された前記表示部材の前記外壁部側への変位を規制する外方変位規制壁部を備え、
前記視認開口部は、
前記外方変位規制壁部に設けられた開口孔と、
前記外壁部に設けられた開放孔と、
前記開口孔の周縁部と、前記開放孔の周縁部との間を連結する開放壁部とにより構成され、
前記視認開口部は、前記開口孔から前記開放孔側に向けて漸次拡幅していることを特徴とする請求項１又は２に記載の容器。
【請求項４】
前記中空パネル部は、前記容器本体、及び、前記開閉部材のうち上下方向に延びる壁部を構成し、
前記開放壁部のうち上部は、前記開放壁部のその他の部位よりも、前記外壁部に対して垂直な方向に対する角度が大きくなるように構成されていることを特徴とする請求項３に記載の容器。
【請求項５】
前記係止保持部は、前記表示装着部に装着された前記表示部材のスライド方向に対して交差し、かつ、前記内壁部、及び、前記外壁部と略平行する方向における前記表示部材の変位を規制するスライド案内壁部を備え、
前記表示部材は、前記スライド案内壁部と当接、又は、近接して支持される部位から、前記外方変位規制壁部と当接、又は、近接して支持される部位にかけて、連続する曲面形状とされていることを特徴とする請求項３又は４に記載の容器。
【請求項６】
前記係止保持部は、
前記表示装着部に装着された前記表示部材のスライド方向に対して交差し、かつ、前記内壁部、及び、前記外壁部と略平行する方向における前記表示部材の変位を規制するスライド案内壁部と、
前記内壁部に設けられ、前記表示部材を挿通可能に構成されるとともに、前記係止保持部に保持された前記表示部材への接触を許容する取付操作孔とを備え、
前記スライド案内壁部は、前記取付操作孔の周縁部から前記外方変位規制壁部側に向けて、前記取付操作孔の外周側に傾斜して延び、
前記スライド案内壁部から、前記内壁部にかけて、連続する曲面形状とされていることを特徴とする請求項３乃至５のいずれかに記載の容器。
【発明の詳細な説明】
【技術分野】
【０００１】
本発明は、物品の保管等に使用される容器に関するものである。
【背景技術】
【０００２】
従来、容器本体と、容器本体を開閉する開閉部材とを備える容器において、収容物に関する情報を切替表示可能な表示部材が取付けられたものが存在する（例えば、特許文献１等参照。）。
【先行技術文献】
【特許文献】
【０００３】
【特許文献１】実開昭６０−１０７５２号公報
【発明の概要】
【発明が解決しようとする課題】
【０００４】
ところで、特許文献１の容器は、容器の外側から表示部材を操作して、表示部材の表示態様を切替可能に構成されている。このため、第三者にいたずらをされて収容物に対応しない表示態様に切替えられてしまったり、表示部材の表示態様が意図せずに切替わったりしてしまうといった事態を招くことが懸念される。
【０００５】
本発明は、上記例示した問題点等を解決するためになされたものであって、その目的は、収容物に関する情報を切替表示可能な表示部材を備え、表示部材の表示態様の不要な切替わりを防止することのできる容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．物品を収容可能な容器本体と、
前記容器本体の開口部を開閉可能な開閉部材と、
収容物に関する情報を切替表示可能な表示部材と
を備える容器において、
前記容器本体、及び、前記開閉部材のうち少なくとも一方は、
容器の内外方向において互いに所定距離を隔てて対向する内壁部、及び、外壁部を具備する中空パネル部を備えるとともに、
前記中空パネル部において、前記内壁部と前記外壁部との間に設けられ、前記表示部材が装着される表示装着部を備え、
前記表示装着部は、
前記内壁部側から前記表示部材を着脱可能に構成され、前記表示部材を前記内壁部の内側面、及び、前記外壁部の外側面のうち少なくとも一方と平行する方向、又は、それに近い方向にスライド可能に保持する係止保持部と、
前記係止保持部に保持された前記表示部材を前記外壁部側から視認可能とする視認開口部とを備えるとともに、
前記係止保持部、及び、前記視認開口部は、前記内壁部、及び、前記外壁部のうち少なくとも一方と一体的に形成され、
前記表示部材は、
前記外壁部側の面において、収容物に関する情報を表示する表示部を備え、
前記内壁部側の面において、当該表示部材をスライド変位させる際に操作される操作部を備えていることを特徴とする容器。
【０００８】
手段１によれば、表示部材の操作部は、開口部が閉鎖された容器の閉状態において容器の内側に配置される。これにより、表示部材の表示態様を切替えるためには、容器を開状態とする必要が生じる。従って、表示部材の表示態様の切替えを容器の外側から簡単に行えるような構成に比べ、表示部材の表示態様が、いたずらにより切替えられたり、意図せずに切替わったりしてしまうといった事態を抑止することができる。
【０００９】
また、表示装着部の各部位は、内壁部、及び、外壁部のうち少なくとも一方と一体的に形成されている。このため、例えば、表示装着部（係止保持部）が中空パネル部に対してねじ等で取付けられる別部材として構成されるような場合等に比べ、表示部材を中空パネル部へ装着する際の作業性の向上等を図ることができる。
【００１０】
尚、「前記容器本体の開口部を閉鎖した閉位置にある前記開閉部材の変位を規制する施錠状態と、前記閉位置にある前記開閉部材の変位を許容する解錠状態とに状態変化可能とする施錠手段を備えること」としてもよい。この場合、開閉部材を閉位置とし、施錠手段を施錠状態とすることで、表示部材の不要な切替操作をより確実に防止することができる。従って、上記手段１の作用効果がより顕著に奏されることとなる。
【００１１】
手段２．前記中空パネル部はブロー成形により形成され、
前記表示装着部は、前記中空パネル部のブロー成形に際して前記内壁部側を構成する部位と、前記外壁部側を構成する部位とが圧着されるとともに、当該圧着部位において前記視認開口部が形成されることにより構成されていることを特徴とする手段１に記載の容器。
【００１２】
手段２によれば、表示装着部が内壁部、及び、外壁部と一体的に形成されている。このため、例えば、表示装着部が中空パネル部とは別部材として構成される場合に比べて、表示部材を中空パネル部へ装着する際の作業性の向上等を図ることができるといった作用効果がより確実に奏される。また、表示装着部により、内壁部と、外壁部との間が連結され、かつ、内壁部の内面側と、外壁部の外面側とが連通するような格好となる。従って、例えば、表示装着部において内壁部側と、外壁部側とが連結されていないような構成に比べ、表示装着部、及び、その周辺部における強度（剛性）を高めることができる。さらに、中空パネル部を（ブロー用開口部以外を）閉じた中空状とすることができ、保温性の向上等を図ることができる（例えば、中空パネル部の内側空間に対し発泡材を外部へはみ出すことなく充填・発泡させる作業も比較的容易に行うことができる）。
【００１３】
手段３．前記係止保持部は、前記内壁部と、前記外壁部との間において、前記表示装着部に装着された前記表示部材の前記外壁部側への変位を規制する外方変位規制壁部を備え、
前記視認開口部は、
前記外方変位規制壁部に設けられた開口孔と、
前記外壁部に設けられた開放孔と、
前記開口孔の周縁部と、前記開放孔の周縁部との間を連結する開放壁部とにより構成され、
前記視認開口部は、前記開口孔から前記開放孔側に向けて漸次拡幅していることを特徴とする手段１又は２に記載の容器。
【００１４】
手段３によれば、外方変位規制壁部により、表示部材の厚みを中空パネル部の厚みに対応させなくても、表示部材を係止保持部において好適に保持することができる。特に、表示部材を内壁部側に寄せることができ、扉部材の内壁部側からの表示部材の操作を行い易くすることができる。また、視認開口部が、開口孔から開放孔側に向けて漸次拡幅している（開放孔の面積が開口孔の面積よりも広く、開放壁部が、開口孔の周縁部から、開放孔の周縁部にかけて、ほぼ屈曲及び湾曲することなく延びている）ことから、外壁部側から表示部材の表示部を見え易くすることができる。
【００１５】
手段４．前記中空パネル部は、前記容器本体、及び、前記開閉部材のうち上下方向に延びる壁部を構成し、
前記開放壁部のうち上部は、前記開放壁部のその他の部位よりも、前記外壁部に対して垂直な方向に対する角度が大きくなるように構成されていることを特徴とする手段３に記載の容器。
【００１６】
手段４によれば、視認開口部は、上方により大きく拡張されている。このため、容器を開閉する関係者が、容器の外周面側に配置される表示装着部を見下ろすような状況となる場合（例えば、容器の高さが関係者の背に比べて低い場合等）であっても、表示部材の表示部を容器の上方からより見易くすることができる。従って、表示部の確認作業をより行い易くすることができる。
【００１７】
手段５．前記係止保持部は、前記表示装着部に装着された前記表示部材のスライド方向に対して交差し、かつ、前記内壁部、及び、前記外壁部と略平行する方向における前記表示部材の変位を規制するスライド案内壁部を備え、
前記表示部材は、前記スライド案内壁部と当接、又は、近接して支持される部位から、前記外方変位規制壁部と当接、又は、近接して支持される部位にかけて、連続する曲面形状とされていることを特徴とする手段３又は４に記載の容器。
【００１８】
手段５によれば、表示部材を表示装着部へ装着する際の作業性の向上を図ることができる。さらに、表示部材を表示装着部へ装着する際の表示部材、及び、係止保持部の損傷等を抑制することができる。
【００１９】
手段６．前記係止保持部は、
前記表示装着部に装着された前記表示部材のスライド方向に対して交差し、かつ、前記内壁部、及び、前記外壁部と略平行する方向における前記表示部材の変位を規制するスライド案内壁部と、
前記内壁部に設けられ、前記表示部材を挿通可能に構成されるとともに、前記係止保持部に保持された前記表示部材への接触を許容する取付操作孔とを備え、
前記スライド案内壁部は、前記取付操作孔の周縁部から前記外方変位規制壁部側に向けて、前記取付操作孔の外周側に傾斜して延び、
前記スライド案内壁部から、前記内壁部にかけて、連続する曲面形状とされていることを特徴とする手段３乃至５のいずれかに記載の容器。
【００２０】
手段６によれば、スライド案内壁部が、取付操作孔の周縁部から外方変位規制壁部側に向けて、取付操作孔の外周側に傾斜して延びることから、当該スライド案内壁部により、表示装着部に装着された表示部材の内壁部側への変位、すなわち、表示部材の係止保持部（表示装着部）からの脱落についても規制することができる。従って、係止保持部を成形の比較的容易な形状としつつ、表示装着部に装着された表示部材を確実に保持することができる。また、取付操作孔の周縁部が曲面形状とされていることから、表示部材を表示装着部へ装着する際の作業性の向上を図るとともに、取付操作孔の周縁部、及び、表示部材の損傷等を抑制することができる。特に、上記手段５の構成を採用する場合、かかる作用効果がより顕著に奏される。
【図面の簡単な説明】
【００２１】
【図１】容器の上面側斜視図である。
【図２】容器の下面側斜視図である。
【図３】容器の正面図である。
【図４】開状態にある容器の斜視図である。
【図５】底板パネルの上面側斜視図である。
【図６】側板パネルの外面側斜視図である。
【図７】側板パネルの内面側斜視図である。
【図８】天板パネルの下面側斜視図である。
【図９】側板と天板パネルとの連結部分を示す部分拡大断面図である。
【図１０】背板と天板パネルとの連結部分を示す部分拡大断面図である。
【図１１】扉部材の外面（前面）側斜視図である。
【図１２】扉部材の内面（裏面）側斜視図である。
【図１３】表示装着部（係止保持部）を中心に、表示部材が装着されていない状態の扉部材を裏面側から見た部分拡大裏面図である。
【図１４】図１３のＡ−Ａ線断面図である。
【図１５】図１３のＢ−Ｂ線断面に表示部材の断面を追加した図である。
【図１６】表示部材が装着された扉部材の断面図である。
【図１７】図１３のＣ−Ｃ線断面図である。
【図１８】図１３のＤ−Ｄ線断面図である。
【図１９】表示部材が装着された扉部材の断面図である。
【図２０】表示部材の表面側斜視図である。
【図２１】表示部材の裏面側斜視図である。
【図２２】表示部材が在中教示位置にある扉部材の一部断面を含む斜視図である。
【図２３】表示部材が空教示位置にある扉部材の一部断面を含む斜視図である。
【図２４】物品が収容され、開状態にある容器の斜視図である。
【発明を実施するための形態】
【００２２】
以下に、一実施形態について図面を参照して説明する。図１〜図４等に示すように、容器１は、平面視略矩形状の底板パネル３、底板パネル３の相対する一対の短側辺部、及び、一方の長側辺部の上方に立設される側板パネル４、及び、側板パネル４の上方を閉塞する天板パネル５を具備する容器本体２と、容器本体２の開口部６の一側部（本例では、開口部６を正面視した場合の右側縁部）に沿って軸支され、開口部６を開閉可能な扉部材７とを備えている。
【００２３】
本実施形態では、容器本体２の底板パネル３、側板パネル４、及び、天板パネル５は、それぞれ別体として構成されており、後述のように一度組付けることによって、基本的に分解が行えないようになっている。さらに、底板パネル３、側板パネル４、及び、天板パネル５は、それぞれブロー成形により形成されている。すなわち、底板パネル３、側板パネル４、及び、天板パネル５の基本構成としては、容器１の内外方向（底板パネル３、及び、天板パネル５に関しては上下方向、側板パネル４に関しては、容器１の内外周方向）において互いに所定距離を隔てて対向する内壁部、及び、外壁部と、内壁部の外周縁部と、外壁部の外周縁部との間を連結する連結壁部とを備えている。尚、本実施形態の容器本体２は、ポリプロピレンにより構成されている。
【００２４】
図５に示すように、底板パネル３の上面（内壁部）には、一対の短側辺部に沿って底板係合凹部１１が設けられ、一方の長側辺部に沿って底板位置決め凹部１２が設けられている。また、図２、図３に示すように、底板パネル３の下面（外壁部）には、４隅の近傍部位においてそれぞれアジャスター１３が取付けられている。
【００２５】
図４、図６、図７に示すように、側板パネル４は、底板パネル３の一方の長側辺部の上方に立設される背板１４、底板パネル３の各短側辺部の上方に立設される側板１５、及び、背板１４の各側辺部と、各側板１５の側辺部との間を連結する薄膜状で可撓性を有する連結部１６を備えている。すなわち、側板パネル４は、図６等に示すように、背板１４と、一対の側板１５とが、側辺部同士を突き合わせるようにして、互いに平行に並ぶ格好で一体的に形成されるものの、側板パネル４を底板パネル３に組付ける際には、図４に示すように、側板パネル４を連結部１６において底板パネル３の外周形状に倣って屈曲させることとなる。
【００２６】
図７に示すように、各側板１５の下面には、側板１５の厚み方向かつ側板１５の高さ方向に切断した場合の断面形状が略Ｔ字状をなす下係合凸部１７が、３つずつ側板１５の横幅方向に並ぶようにして設けられるとともに、下係合凸部１７の間を連結する下補強リブ１８が設けられている。さらに、背板１４の下面には、外方に向けて背板１４の下面からの突出長が次第に大きくなる断面略三角形状の下位置決め凸部１９が設けられている。
【００２７】
そして、側板パネル４の下係合凸部１７、及び、下補強リブ１８が、底板パネル３の底板係合凹部１１（図５参照）に係合され、側板パネル４の下位置決め凸部１９が、底板パネル３の底板位置決め凹部１２に挿入されることで、底板パネル３と、側板パネル４とが組付けられるようになっている。
【００２８】
また、図６に示すように、各側板１５の上面には、側板１５の厚み方向かつ側板１５の高さ方向に切断した場合の断面形状が略Ｔ字状をなす上係合凸部２０が、３つずつ側板１５の横幅方向に並ぶようにして設けられるとともに、上係合凸部２０の間を連結する上補強リブ２１が設けられている。さらに、背板１４の上面には、外方に向けて背板１４の上面からの突出長が次第に大きくなる断面略三角形状の上位置決め凸部２２が設けられている。
【００２９】
図８に示すように、天板パネル５の下面（内壁部）には、一対の短側辺部に沿って天板係合凹部２３が設けられ、一方の長側辺部に沿って天板位置決め凹部２４が設けられている。そして、側板パネル４の上係合凸部２０、及び、上補強リブ２１が、天板パネル５の天板係合凹部２３に係合され、側板パネル４の上位置決め凸部２２が、天板パネル５の天板位置決め凹部２４に挿入されることで、天板パネル５と、側板パネル４とが組付けられるようになっている。
【００３０】
尚、図９に示すように、天板係合凹部２３は、断面略Ｔ字状の上係合凸部２０に対応した形状（断面略Ｔ字状）をなしており、上係合凸部２０を天板係合凹部２３に係合させた場合、基本的に、側板パネル４を天板パネル５から離間させることができないようになっている。さらに、図示は省略するが、上記した底板係合凹部１１についても、断面略Ｔ字状の下係合凸部１７に対応した形状（断面略Ｔ字状）をなしており、下係合凸部１７を底板係合凹部１１に係合させた場合、基本的に、側板パネル４を底板パネル３から離間させることができないようになっている。加えて、図１０に示すように、天板位置決め凹部２４は、上位置決め凸部２２に対応した形状（断面略三角形状）をなしており、容器１の組立状態において、天板パネル５に対する背板１４の容器１の外周側への相対変位が規制されるようになっている。尚、底板位置決め凹部１２についても、下位置決め凸部１９に対応した形状（断面略三角形状）をなしている。
【００３１】
また、本実施形態では、天板パネル５、及び、底板パネル３を平面視した場合の外周形状がほぼ同じとなっている。さらに、天板パネル５、及び、底板パネル３の短手幅は、側板パネル４の側板１５の横幅よりも扉部材７の厚み程度長くなっており、天板パネル５、及び、底板パネル３は、側板１５の開口部６側の辺部よりも側方にまで突出している。以下、説明の便宜上、容器本体２の開口部６側を「容器１の前側」とし、容器本体２の背板１４側を「容器１の後側」とし、背板１４側から開口部６側へ向かう方向を「前方」として説明する。
【００３２】
また、図４、図５、図８等に示すように、天板パネル５の下面、及び、底板パネル３の上面のうち、容器本体２の組立状態において開口部６を正面視した場合の右側の側板１５の前方に配置される部位には、上下一対の軸受穴２５が設けられている。尚、天板パネル５、及び、底板パネル３には、側板１５と上下に対向する部位において、上下に貫通する取付孔２７を有して、ワイヤーフックを係止可能とするワイヤーフック取付部２６が設けられている。ワイヤーフック取付部２６の側板１５側の部位は、容器本体２の側方から取付孔２７の側板１５側の面への接触を許容するべく凹状に構成されている。
【００３３】
さて、図１１〜図１４、図１７等に示すように、本実施形態の扉部材７は、容器１の内外周方向（前後方向）において互いに所定距離を隔てて対向する内壁部３１、及び、外壁部３２と、内壁部３１の外周縁部と、外壁部３２の外周縁部との間を連結する連結壁部３３とを備えている。内壁部３１、及び、外壁部３２は基本的に互いに平行して延在している。本実施形態の扉部材７は、ポリプロピレンにより構成され、ブロー成形により一体的に形成されている。尚、本実施形態では、扉部材７が、開閉部材、及び、パネル部材を構成する。
【００３４】
また、図１等に示すように、扉部材７の横幅は、容器本体２の横幅（一対の側板１５の外面間の距離）とほぼ同じであり、扉部材７の上下幅は、側板パネル４の上下幅（天板パネル５の下面と、底板パネル３の上面との間の距離）とほぼ同じである。さらに、図１１等に示すように、扉部材７の上面、及び、下面のうち正面視で右側の部位には、上下一対の軸部３４が設けられている。そして、扉部材７の軸部３４が、容器本体２（天板パネル５、及び、底板パネル３）の軸受穴２５に嵌入されることで、扉部材７が容器本体２に対して回動変位可能に連結されている。加えて、扉部材７が開口部６を閉鎖する閉位置にある場合には、一対の側板１５よりも前方であって、天板パネル５と、底板パネル３との間の空間に扉部材７の全体が収まるように構成されている。
【００３５】
また、図４、図１３、図１５等に示すように、扉部材７には、収容物に関する情報を切替表示可能な表示部材４１が装着される表示装着部３５が設けられている。図１に示すように、本実施形態の表示装着部３５は、容器１の前側から、扉部材７の横幅方向中央部よりもやや左側、かつ、扉部材７の上辺部の近傍位置において表示部材４１が視認可能となるように設けられている。
【００３６】
図２０、図２１等に示すように、表示部材４１は、略矩形板状のベースプレート４２と、ベースプレート４２の表面側において、収容物に関する情報を表示する表示部４３と、ベースプレート４２の裏面から突出し、表示部材４１をスライド変位させる際に操作される操作部４４と、ベースプレート４２の一対の長側辺部から操作部４４側に突出する補助突片部４５とを備えている。
【００３７】
これに対し、図１５、図１８等に示すように、表示装着部３５は、内壁部３１側から表示部材４１を着脱可能に構成され、表示部材４１を内壁部３１の内側面、及び、外壁部３２の外側面とほぼ平行して左右方向にスライド可能に保持する係止保持部５１と、係止保持部５１に保持された表示部材４１を外壁部３２側（容器１の前方）から視認可能とする視認開口部５２とを備えている。そして、図１６、図１９に示すように、表示部材４１は、係止保持部５１に対し、表示部４３が外壁部３２側を向き、操作部４４が内壁部３１側を向き、長手方向が扉部材７の横幅方向となる（補助突片部４５が上下に配置される）姿勢で、係止保持部５１に保持されるようになっている。
【００３８】
ここで、係止保持部５１についてより具体的に説明する。図１５、図１６、図１８、図１９に示すように、係止保持部５１は、内壁部３１に設けられ、上下の幅が表示部材４１の上下幅よりも若干小さく、かつ、左右の幅が表示部材４１の横幅の１．５倍程度に構成される取付操作孔５３と、取付操作孔５３の上縁部、及び、下縁部から外壁部３２側（前方）に延びるスライド案内壁部５４と、取付操作孔５３の左右の側縁部から外壁部３２側に延びるスライド制限壁部５５と、内壁部３１と外壁部３２との間に配置されるとともに、一対のスライド案内壁部５４、及び、一対のスライド制限壁部５５の先端縁の間を連結する外方変位規制壁部５６とを備えている。
【００３９】
外方変位規制壁部５６は、内壁部３１、及び、外壁部３２とほぼ平行して延在し、上下の幅が表示部材４１の上下幅とほぼ同じに構成されている。さらに、スライド制限壁部５５は、図１８に示すように、内壁部３１に対して垂直に近い角度をなしているのに対し、上下のスライド案内壁部５４に関しては、図１５に示すように、取付操作孔５３の上縁部、及び、下縁部から前方に向けて、取付操作孔５３の外周側（上側のスライド案内壁部５４は上方、下側のスライド案内壁部５４は下方）に傾斜して延びている。換言すれば、上下一対のスライド案内壁部５４は後方に向けて互いに近接するようにして傾斜して延びている。そして、図１６、図１９に示すように、表示部材４１が、取付操作孔５３を介して、上下一対のスライド案内壁部５４の間に挿入されることで、ベースプレート４２の表面が、外方変位規制壁部５６に当接するとともに、上下一対の補助突片部４５が、それぞれスライド案内壁部５４に当接すること（圧接し、補助突片部４５が若干弾性変形することとしてもよい）となる。これにより、表示部材４１は、外壁部３２側への変位が外方変位規制壁部５６によって規制され、かつ、上下方向への変位が一対のスライド案内壁部５４によって規制され、かつ、内壁部３１（取付操作孔５３）側への変位が、一対のスライド案内壁部５４によって規制された状態、すなわち、係止保持部５１に保持された状態とされる。
【００４０】
また、図１５、図２１に示すように、表示部材４１の操作部４４は、上下に延在する突片状をなしているが、上下一対の補助突片部４５から離間して設けられている。これにより、表示部材４１を係止保持部５１へ取付ける際の表示部材４１の追従変形等が阻害されないようになっている。さらに、表示部材４１は、上下一対の補助突片部４５の上面及び下面から、ベースプレート４２の表面にかけて、連続する曲面形状とされている。加えて、係止保持部５１側についても、上下一対のスライド案内壁部５４の下面及び上面から、内壁部３１の内側面にかけて、連続する曲面形状とされている。これにより、表示部材４１の補助突片部４５とベースプレート４２とのなす角部や、スライド案内壁部５４と内壁部３１とのなす角部が、表示部材４１を係止保持部５１へ取付ける際の阻害要因となるといった事態が回避されるようになっている。
【００４１】
加えて、表示部材４１の操作部４４を含めた厚みは、外方変位規制壁部５６の内側面（内壁部３１側の面）と、内壁部３１の内側面との間の距離よりも短く構成され、表示装着部３５に装着された（係止保持部５１に保持された）表示部材４１は、係止保持部５１の内側に収まる（扉部材７の裏面から突出しない）ようになっている。また、係止保持部５１に保持された表示部材４１の操作部４４に対しては、取付操作孔５３を介して接触が許容されるようになっている。
【００４２】
次に、視認開口部５２についてより具体的に説明する。図１５、図１８等に示すように、視認開口部５２は、外方変位規制壁部５６に設けられた開口孔５７と、外壁部３２に設けられた開放孔５８と、開口孔５７の周縁部と、開放孔５８の周縁部との間を連結する開放壁部５９とにより構成されている。
【００４３】
図１３に示すように、開口孔５７は、略正方形状をなし、外方変位規制壁部５６の中央部に設けられている。図１５に示すように、開口孔５７の上下の幅は、外方変位規制壁部５６の上下の幅よりも短く、開口孔５７の上方、及び、下方の両方に、外方変位規制壁部５６の壁面が残存するようになっている。また、図１９に示すように、開口孔５７の左右の幅は、表示部材４１（ベースプレート４２）の横幅の半分の長さよりも短く構成され、さらに、外方変位規制壁部５６の横幅の１／３の長さよりも短く構成されている。
【００４４】
これに対し、表示部材４１の表示部４３には、図２０に示すように、当該表示部４３の左半分の領域に対し、ベースプレート４２の着色とは異なる色のシール４６が貼着されている。ちなみに、図１６、図１９に示すように、表示部４３は、開口孔５７を介して視認可能とされる部位であって、シール４６が外方変位規制壁部５６と擦れることを回避するべく凹状に構成されている。そして、表示部材４１をスライド変位させ、開口孔５７（視認開口部５２）を介して、シール４６が視認される状態（図２２参照）と、シール４６が視認されない状態（図２３参照）とに切替えることで、収容物が存在するか否かを教示する（例えば、シール４６が外部から視認されることで、収容物の存在を教示する）ようになっている。
【００４５】
本実施形態では、扉部材７を裏面側（内壁部３１側）から視認した場合に、表示部材４１は、係止保持部５１の左側にスライドされることで、容器１（扉部材７）の前方から、開口孔５７（視認開口部５２）を介して、シール４６が視認される在中教示位置とされる。その一方で、表示部材４１は、扉部材７の裏面視で係止保持部５１の右側にスライドされることで、容器１の前方から開口孔５７を介して、表示部４３のうちシール４６が貼着されていない部位が視認される空教示位置とされる。さらに、表示部材４１のベースプレート４２の着色は、扉部材７の着色と同じであり、表示部材４１が空教示位置にある場合には、扉部材７の前面側がほぼ単色に統一され、表示部材４１が在中教示位置にある場合には、扉部材７の前面側において表示部材４１の色がその周りの色と異なるようになっている。
【００４６】
また、図１、図１６、図１９に示すように、視認開口部５２は、開口孔５７から開放孔５８側に向けて漸次拡幅している。つまり、開口孔５７の面積よりも、開放孔５８の面積の方が広く、開放壁部５９は、開口孔５７の周縁部から、開放孔５８の周縁部に向けて、ほぼ直線状に延びている。特に、図１、図１６に示すように、開放壁部５９のうち上部は、開放壁部５９のその他の部位（両側部、及び、下部）よりも、外壁部３２に対して垂直な方向に対する角度が大きくなるように構成されている。これにより、開放孔５８は上下に長い略矩形状をなしている（開口孔５７の下縁部と、開放孔５８の下縁部との間の高低差よりも、開口孔５７の上縁部と、開放孔５８の上縁部との間の高低差の方が大きくなっている）。尚、本実施形態の容器１は、高さが、例えば、１０００ｍｍ程度となっている。このため、表示装着部３５を極力上側に配置したとしても、使用者は、基本的に、表示装着部３５を見下ろすような格好で、表示部材４１の表示態様を視認（確認）することとなる。
【００４７】
加えて、図２０に示すように、表示部材４１のベースプレート４２の表面側には、ベースプレート４２の横幅方向中央部、かつ、表示部４３の上方位置、及び、下方位置において、上下一対の係止突起４７が設けられている。これに対し、図１３、図１４、図１７に示すように、外方変位規制壁部５６の内壁部３１側の面には、開口孔５７の両側方位置において、それぞれ上下一対の係止凹部６０が設けられている。そして、図２２、図２３に示すように、表示部材４１が、在中教示位置、及び、空教示位置のそれぞれの位置にある場合に、表示部材４１の係止突起４７が、対応する係止凹部６０に挿入され、表示部材４１の不要な位置ずれが抑止されるようになっている。
【００４８】
尚、表示装着部３５は、扉部材７のブロー成形に際して、内壁部３１側を構成する部位と、外壁部３２側を構成する部位とが圧着されるとともに、当該圧着部位において、ブロー成形後に、開口孔５７が形成されることにより構成されている。これにより、図１５に示すように、表示装着部３５（係止保持部５１、及び、視認開口部５２）は、内壁部３１と、外壁部３２との間を連結するとともに、内壁部３１の内面側と、外壁部３２の外面側との間を連通させるようになっている。
【００４９】
また、図１、図４、図１１、図１２に示すように、扉部材７には、扉部材７の上下方向略中央部、かつ、正面視で左側の側部（容器本体２に軸支された側辺部とは反対側の側辺部）の近傍部位において、錠前６１が設置される錠前設置部６２が設けられている。本実施形態では、扉部材７の前面側に開口する鍵穴に図示しない鍵を差し込んで回動操作を行うことにより、扉部材７の裏面側に配置される鉤部６３（図４参照）が回動変位するタイプの錠前６１が取付けられている。また、錠前設置部６２は、錠前設置部６２に設置された錠前６１が扉部材７の前面（外壁部３２）よりも前方に突出しないように凹状に構成されている。
【００５０】
これに対し、図４、図７に示すように、容器本体２のうち正面視で左側の側板１５の内側面には、錠前６１の鉤部６３が挿入される受穴６４が設けられている。そして、扉部材７が閉位置にある状態において錠前６１の鍵穴に差し込まれた鍵の操作を行うことにより、鉤部６３が受穴６４に挿入され、扉部材７の開放が規制される施錠状態と、鉤部６３が受穴６４から抜け出して、扉部材７の開放が許容される解錠状態とに状態変化するようになっている。本実施形態では、錠前６１、受穴６４、及び、鍵により施錠手段が構成されている。
【００５１】
また、図１等に示すように、扉部材７の前面側（外壁部３２側）には、錠前設置部６２の上方、及び、下方に隣接して、開口部６を開放する開位置とされた扉部材７を閉位置側に変位させる際等に指先を掛けることのできる指掛け凹部６５が設けられている。さらに、図１、図４に示すように、左側の側板１５の外面側には、前側辺部の上下方向中間位置において、閉位置にある扉部材７の裏面に指先を掛けられるようにする指掛け補助凹部６６が設けられている。加えて、各側板１５の外面側の上部には、容器１を持ち上げる際に指先を掛けることのできる手持ち凹部６７が設けられている。
【００５２】
尚、図２４に示すように、本実施形態の容器１は、物品７０（例えば、発泡樹脂製容器に収納された食品等）の受け渡しに際し、物品を一時的に保管する容器として利用される。使用例としては、容器１のオーナーと、商品納入業者とが容器１の鍵を持ち、注文を受けた業者が容器１を開状態として商品（物品７０）を容器１に収容する。さらに、開位置にある扉部材７の裏側から表示部材４１を操作して在中教示位置に変位させる（図２２、図２４参照）。その後、扉部材７を閉位置として、鍵をかける。これに対し、オーナーは、帰宅時等に、容器１の外方から、表示部材４１の表示態様を確認する。表示部材４１の表示態様がシール４６になっている場合、容器１を開状態として、開位置にある扉部材７の裏側から表示部材４１を操作して空教示位置に変位させる。そして、商品を取出し、扉部材７を閉位置とし（図４、図２３参照）、鍵をかける。
【００５３】
以上詳述したように、本実施形態によれば、扉部材７の表示装着部３５に装着された表示部材４１の操作部４４は、容器１の閉状態において容器１の内側に配置される。これにより、表示部材４１の表示態様を切替えるためには、容器１を開状態とする必要が生じる。従って、表示部材４１の表示態様の切替えを容器１の外側から簡単に行えるような構成に比べ、表示部材４１の表示態様が、いたずらにより切替えられたり、意図せずに切替わったりしてしまうといった事態を抑止することができる。特に、容器１は、鍵操作により施錠される錠前６１を備えていることから、表示部材４１の不要な切替操作を防止するといった作用効果がより確実に奏される。
【００５４】
また、扉部材７はブロー成形により形成され、表示装着部３５は、内壁部３１、及び、外壁部３２と一体的に形成されている。このため、例えば、表示装着部３５（係止保持部５１）が扉部材７に対してねじ等で取付けられる別部材として構成されるような場合等に比べ、表示部材４１を扉部材７へ装着する際の作業性の向上等を図ることができる。また、表示装着部３５により、内壁部３１と、外壁部３２との間が連結され、かつ、内壁部３１の内面側と、外壁部３２の外面側とが連通するような格好となる。従って、例えば、表示装着部３５において内壁部３１側と、外壁部３２側とが連結されていないような構成に比べ、表示装着部３５、及び、その周辺部における強度（剛性）を高めることができる。さらに、扉部材７を（ブロー用開口部以外を）閉じた中空状とすることができ、保温性の向上等を図ることができる。
【００５５】
加えて、表示装着部３５に装着された表示部材４１の表面（前面）と当接する外方変位規制壁部５６は、扉部材７の内壁部３１の内面、及び、外壁部３２の外面と平行して延びている。このため、係止保持部５１に保持された表示部材４１は、内壁部３１の内側面と平行にスライド可能となり、例えば、在中教示位置と空教示位置との間を変位する表示部材４１が扉部材７の厚み方向に変位してしまうような場合に比べ、表示部材４１の操作性の向上等を図ることができる。さらに、係止保持部５１に保持された表示部材４１は、外壁部３２の外側面（前面）と平行にスライド可能となり、容器１の外側（前方）からの表示部材４１の視認性の向上等を図ることができる。
【００５６】
また、係止保持部５１に外方変位規制壁部５６が設けられることにより、表示部材４１の厚みを扉部材７の厚みに対応させなくても、表示部材４１を係止保持部５１において好適に保持することができる。特に、表示部材４１を内壁部３１側に寄せることができ、内壁部３１側からの表示部材４１の操作を行い易くすることができる。また、視認開口部５２が、開口孔５７から開放孔５８側に向けて漸次拡幅している（開放孔５８の面積が開口孔５７の面積よりも広く、開放壁部５９が、開口孔５７の周縁部から、開放孔５８の周縁部にかけて、ほぼ屈曲及び湾曲することなく延びている）ことから、外壁部３２側から表示部材４１の表示部４３を見え易くすることができる。
【００５７】
さらに、視認開口部５２は、上方により大きく拡張されている。このため、容器１を開閉する関係者が、容器１の外周面（前面）側に配置される表示装着部３５を見下ろすような状況となる場合（例えば、容器１の高さが関係者の背に比べて低い場合等）であっても、表示部材４１の表示部４３を容器１の上方からより見易くすることができる。従って、表示部４３の確認作業をより行い易くすることができる。
【００５８】
加えて、表示部材４１は、各補助突片部４５から、ベースプレート４２にかけて、連続する曲面形状とされている。このため、表示部材４１を表示装着部３５へ装着する際の作業性の向上を図ることができる。さらに、表示部材４１を表示装着部３５へ装着する際の表示部材４１、及び、係止保持部５１の損傷等を抑制することができる。
【００５９】
さらに、係止保持部５１の上下一対のスライド案内壁部５４は、後方に向けて互いに近接するように傾斜して延びている。このため、当該スライド案内壁部５４により、表示装着部３５に装着された表示部材４１の内壁部３１側への変位、すなわち、表示部材４１の係止保持部５１（表示装着部３５）からの脱落についても規制することができる。従って、係止保持部５１を成形の比較的容易な形状としつつ、表示装着部３５に装着された表示部材４１を確実に保持することができる。
【００６０】
また、スライド案内壁部５４から、内壁部３１にかけて、連続する曲面形状とされている。このように、取付操作孔５３の周縁部が曲面形状とされることで、表示部材４１を表示装着部３５へ装着する際の作業性の向上を図るとともに、取付操作孔５３の周縁部、及び、表示部材４１の損傷等を抑制することができる。
【００６１】
尚、上記実施形態の記載内容に限定されず、例えば次のように実施してもよい。勿論、以下において例示しない他の応用例、変更例も当然可能である。
【００６２】
（ａ）上記実施形態では、容器本体２が側方に開口する箱状をなし、容器本体２の開口部６を開閉する「開閉部材」としては、容器本体２に対して回動可能に連結された扉部材７に具体化されているが、特にかかる構成に限定されるものではない。例えば、容器本体が上方に開口する箱状をなし、開閉部材としては、容器本体の開口部を閉塞可能であって、容器本体に対して着脱自在に構成された（回動変位可能に連結されていてもよい）蓋部材に具体化することとしてもよい。また、例えば、容器本体と、開閉部材とがほぼ同様の形状とされ、一方の開口周縁部に設けられた係止部と、他方の開口周縁部に設けられた被係止部とが係止可能に構成され、容器本体と開閉部材との間に物品を収納したり、収納された物品を取出したりすることができる容器に適用してもよい。
【００６３】
（ｂ）さらに、表示装着部３５を容器１のどの位置に設けるかについても特に限定されるものではなく、容器本体２の天板パネル５や側板パネル４に設けられることとしてもよい。但し、扉部材７等の開閉部材に表示装着部３５が設けられることで、表示部材４１の操作部４４への操作を行い易くすることができる。また、上記実施形態では、底板パネル３、天板パネル５、側板パネル４、及び、扉部材７の全てがブロー成形により中空形状に形成されているが、少なくとも表示装着部３５が設けられる部位が、内壁部３１と外壁部３２とを具備する中空形状に構成されていればよい。例えば、天板パネル５を射出成形により構成したり、底板パネル３を金属製としたりすることとしてもよい。
【００６４】
加えて、上記実施形態では、視認開口部５２の上下幅、及び、横幅が前方に向けて漸次拡幅しており、特に、上方に比較的大きく拡張されるようになっているが、例えば、表示装着部が天板パネルに設けられ、容器を開閉する関係者が主に容器の前方から表示装着部の表示態様を確認することが想定される場合には、視認開口部を前方に比較的大きく拡張するように構成してもよい。また、視認開口部５２の上下幅、及び、横幅が前方に向けて拡幅しない構成とすることも可能である。尚、開口孔５７をブロー成形に際して同時に形成することとしてもよい。
【００６５】
（ｃ）上記実施形態では、錠前６１、受穴６４、及び、鍵により施錠手段が構成されているが、別の施錠機構（例えば、着脱自在の鍵が不要なもの）を採用することとしてもよい。尚、施錠手段を省略することも可能である。但し、施錠手段を省略する構成を採用する場合においても、扉部材７を閉位置で保持することのできる機構（例えば、ラッチボルト、マグネット等）を具備することが望ましい。
【００６６】
（ｄ）上記実施形態において、表示部材４１の表示部４３で教示される情報の内容や数については特に限定されるものではなく、例えば、表示部材４１の表示態様を内容物の種類に応じて変更可能なように、３パターン以上に切替表示可能に構成してもよい。例えば、表示部材、及び、それを受入れる係止保持部の内側空間が円盤状をなし、表示部材の表示部には、「要冷蔵の食品」、「冷蔵不要の食品」、「食品以外」、「収容物なし」を意味するそれぞれの表示がプリントされたシールが貼着され、表示部材が内壁部、及び、外壁部と略平行して回動変位することで、視認開口部を介して視認される表示部材の表示態様が変更されるように構成してもよい。
【００６７】
尚、表示部材４１と、外方変位規制壁部５６との間に、表示部材４１とともに、係止保持部５１に収容される透明な板状体（例えば、樹脂製のシート等）を装着するように構成してもよい。係止保持部５１に装着された透明な板状体は、外方変位規制壁部５６と平行する方向への変位が規制されることが望ましく、さらに、表示部材４１との圧接が回避されることが望ましい。この場合、容器１の外側からの表示部材４１への直接の接触を防止することができ、表示部材４１（表示部４３）の保護を図ることができる上、容器１の外側から表示部材４１をスライドさせることをより確実に防止することができる。
【００６８】
（ｅ）上記実施形態では、容器１はポリプロピレンにより構成されているが、ポリエチレン、ＰＥＴ、ポリアミド等その他の合成樹脂材料により構成されることとしてもよい。      
【００６９】
また、上記実施形態において、扉部材７、底板パネル３、天板パネル５、及び、側板パネル４の内側空間に発泡材を充填・発泡させることで発泡樹脂層（断熱層）を設けることとしてもよい。この場合、容器１の保温性の向上等をより一層図ることができる。尚、ブロー成形により形成される扉部材７、底板パネル３、天板パネル５、及び、側板パネル４は、（ブロー用開口部以外を）閉じた中空状とすることができることから、内側空間に対し発泡材を外部へはみ出すことなく充填・発泡させるといった作業を比較的容易に行うことができる。
【符号の説明】
【００７０】
１…容器、２…容器本体、３…底板パネル、４…側板パネル、５…天板パネル、６…開口部、７…扉部材、３１…内壁部、３２…外壁部、３５…表示装着部、４１…表示部材、４３…表示部、４４…操作部、４５…補助突片部、５１…係止保持部、５２…視認開口部、５３…取付操作孔、５４…スライド案内壁部、５６…外方変位規制壁部、５７…開口孔、５８…開放孔、５９…開放壁部。
【図１】
2019137455.tif 000003
【図２】
2019137455.tif 000004
【図３】
2019137455.tif 000005
【図４】
2019137455.tif 000006
【図５】
2019137455.tif 000007
【図６】
2019137455.tif 000008
【図７】
2019137455.tif 000009
【図８】
2019137455.tif 000010
【図９】
2019137455.tif 000011
【図１０】
2019137455.tif 000012
【図１１】
2019137455.tif 000013
【図１２】
2019137455.tif 000014
【図１３】
2019137455.tif 000015
【図１４】
2019137455.tif 000016
【図１５】
2019137455.tif 000017
【図１６】
2019137455.tif 000018
【図１７】
2019137455.tif 000019
【図１８】
2019137455.tif 000020
【図１９】
2019137455.tif 000021
【図２０】
2019137455.tif 000022
【図２１】
2019137455.tif 000023
【図２２】
2019137455.tif 000024
【図２３】
2019137455.tif 000025
【図２４】
2019137455.tif 000026